(57)【要約】  出力信号の改良された制御を提供する直流電力供給を開示する。交流電流源によって、発生する入力信号は受け取られ、固体物理リレーによって、チョップした。「LC」（誘導コイル-コンデンサ）または「CLC」（コンデンサ−誘導コイル−コンデンサ）によって、フィルタリングをかけられることは濾過される前に、切られた信号はブリッジ整流器により調整される。出力信号が、それから直射的な現在の電力供給信号として使うことができる。この電力供給が、様々な形のオゾン生成システムで使うことができる。
2013544221.tif 000002
【特許請求の範囲】
【請求項１】
目標濃度を得るためにスペースのオゾンの所定の量を分配するのに適したオゾン生成器と、
前記オゾン生成器に接続され、交流パワー信号を受けるための第１の入力と、外部制御信号のための第２の入力とを備えた可変直流電力供給と、
前記外部制御信号を生成するための電力供給の第２の入力に接続された制御ユニットであって、前記外部制御信号が、目標濃度に届くために要求されるオゾンの量によって生成されることを特徴とする制御ユニットと、
前記制御ユニットに接続され、スペースのオゾンの残余の量を測定し、要求されるオゾンの量を決定するために残余の量の測定信号を制御ユニットに提供するように適合されたオゾン・センサと
を有することを特徴とするオゾン生成システム。
【請求項２】
前記電力供給が、利用可能な出力電圧の実質的に０％から１００％まで制御可能であることを特徴とする請求項１に記載のオゾン生成システム。
【請求項３】
前記電力供給が、整流器にある交流電力信号の量を調量するために、整流器の入力に接続された固体物理リレーと、整流された信号をスムーズにし、整流された信号をオゾン生成器に示すための整流器の出力に接続されたフィルタと、を有することを特徴とする請求項１または２に記載のオゾン生成システム。
【請求項４】
前記フィルタが、誘導子-コンデンサ・フィルタであることを特徴とする請求項１乃至３のいずれか１項に記載のオゾン生成システム。
【請求項５】
前記フィルタが、コンデンサ-誘導子-コンデンサ・フィルタであることを特徴とする請求項１乃至４のいずれか１項に記載のオゾン生成システム。
【請求項６】
前記外部制御信号が、約４ｍＡ乃至約２０ｍＡの交流電流信号であることを特徴とする請求項１乃至５のいずれか１項に記載のオゾン生成システム。
【請求項７】
前記外部制御信号が、約０ボルト乃至約１０ボルトの直流信号であることを特徴とする請求項１乃至５のいずれか１項に記載のオゾン生成システム。
【請求項８】
前記整流器が、全波整流器であることを特徴とする請求項１乃至７のいずれか１項に記載のオゾン生成システム。
【請求項９】
前記制御ユニットが、比例・積分・微分（ＰＩＤ）コントローラからなることを特徴とする請求項１乃至８のいずれか１項に記載のオゾン生成システム。
【請求項１０】
前記制御ユニットが、コロナ周波数およびコロナ電圧を変化させる制御デバイスと、制御ループフィードバック機構と、制御パラメータをセットするためのインターフェースとを有することを特徴とする請求項１乃至９のいずれか１項に記載のオゾン生成システム。
【請求項１１】
前記制御ユニットが、制御パラメータリモートでセットするように適合することを特徴とする請求項１０に記載のオゾン生成システム。
【請求項１２】
前記オゾン生成器が、生成されたオゾンをスペースに選択的に出力するための少なくとも１つの出力バルブと、少なくとも１つの出力バルブが閉じているとき、オゾンの処理のために少なくとも１つのダンプバルブと、を有することを特徴とする請求項１乃至１１のいずれか１項に記載のオゾン生成システム。
【請求項１３】
前記少なくとも１つの出力バルブが、制御ユニットによって制御された比例制御バルブであることを特徴とする請求項１２に記載のオゾン生成システム。
【請求項１４】
少なくとも１つの出力バルブのうちの各１つが、スペースの所定のゾーンに関連し、所定のゾーンに分配されるオゾンに関連して制御されることを特徴とする請求項１２または１３に記載のオゾン生成システム。
【請求項１５】
前記オゾン生成器が、オゾン生成器内のチューブにオゾン生成を提供するクリーンな空気のフローレートを測定するためのフローセンサを有し、前記測定されたフローレートが制御ユニットに提供されることを特徴とする請求項１２乃至１４のいずれか１項に記載のオゾン生成システム。
【請求項１６】
前記フローセンサが、入力パスにおいて、オゾン生成チューブから上流に設けられた電子フローセンサであることを特徴とする請求項１５に記載のオゾン生成システム。
【請求項１７】
スペースにオゾンを生成させる方法であって、
スペースの残余のオゾンの濃度を測定するステップと、
測定された濃度から、スペースのオゾンの目標濃度を提供するために要求されるオゾンの濃度を決定するステップと、
可変直流電流電力供給にエネルギーを与えるために外部制御信号を生成するステップであって、前記外部制御信号が、要求されるオゾンの量に従ってせんたくされた値を有することを特徴とするステップと、
前記外部制御信号で可変直流電力供給にエネルギーを与えるステップであって、交流電力信号で直流電力供給を供給することを特徴とするステップと、
伝導角度を変化させることによって可変直流電力供給を介して流すことができる交流電力信号の量を調量するステップであって、それにより、オゾン生成器に対して可変直流電力供給が所定の電圧レベルを出力することができることを特徴とするステップと、
スペースの目標濃度を提供するために要求されるオゾンの量を分配するステップと
を有することを特徴とする方法。
【請求項１８】
前記交流電力信号の量を調量するステップが、交流電力信号の実質的に０％から１００％まで調量するステップからなることを特徴とする請求項１７に記載の方法。
【請求項１９】
前記交流電力信号の量を調量するステップが、固体物理リレーを使用して交流電力信号をチョッピングするステップと、チョッピングされた信号を整流するステップと、所定の電圧レベルをオゾン生成器に提供するために整流された信号をフィルタリングするステップと、を有することを特徴とする請求項１７または１８に記載の方法。
【請求項２０】
前記可変直流電力供給にエネルギーを与えるステップが、約４ｍＡから２０ｍＡまで交流制御信号で可変直流電力供給を提供するステップを有することを特徴とする請求項１７乃至１９のいずれか１項に記載の方法。
【請求項２１】
前記可変直流電力供給にエネルギーを与えるステップが、約０ボルトから１０ボルトまで可変直流電力供給を直流制御信号に提供するステップを有することを特徴とする請求項１７乃至１９のいずれか１項に記載の方法。
【請求項２２】
前記可変直流電力供給にエネルギーを与えるステップが、交流電力信号のゼロ交差の際にエネルギーを与えることを特徴とする請求項１７乃至２１のいずれか１項に記載の方法。
【請求項２３】
前記可変直流電力供給が所定の電圧レベルを出力することが、外部制御信号に関して実質的に線形である所定の電圧レベルを出力することからなることを特徴とする請求項１７乃至２２のいずれか１項に記載の方法。
【請求項２４】
前記所定の電圧レベルが、実質的に０ボルトから１６０ボルトまで変化可能であることを特徴とする請求項１７乃至２３のいずれか１項に記載の方法。
【請求項２５】
前記所定の電圧レベルが、実質的に０ボルトから１９０ボルトまで変化可能であることを特徴とする請求項１７乃至２３のいずれか１項に記載の方法。
【請求項２６】
前記オゾンの量を分配するステップが、少なくとも１つの出力バルブを選択的に開閉するステップと、前記少なくとも１つの出力バルブが閉じているとき、少なくとも１つのダンプバルブを選択的に開けるステップとを有することを特徴とする請求項１７乃至２５のいずれか１項に記載の方法。
【請求項２７】
前記少なくとも１つの出力バルブを選択的に開閉するステップが、制御信号を比例制御バルブに適用するステップからなることを特徴とする請求項２６に記載の方法。
【請求項２８】
前記オゾンの量を分配するステップが、スペースの少なくとも２つのゾーンにオゾンを選択的に分配することを有し、前記少なくとも２つのゾーンのうちの各１つが、そこに割り当てられた少なくとも１つの出力バルブのうちの少なくとも１つを有することを特徴とする請求項２６または２７に記載の方法。
【請求項２９】
クリーンな空気入力のフローレートを測定し、前記少なくとも１つの出力バルブおよび少なくとも１つのダンプバルブを動的に開閉するために測定されるようにフローレートを使用することを更に有することを特徴とする請求項２６乃至２８のいずれか１項に記載の方法。
【請求項３０】
交流電力信号を受信する第１の入力と、外部制御信号に関する第２の入力とを備えた完全に可変の直流電力供給であって、電源供給が、固体物理リレーおよび整流器を備え、該固体物理リレーは、整流器の入力に接続され、実質的に０％から１００％まで整流器に表される交流電力信号を調量するために適合され、更に、整流された信号をスムーズにし、直流電圧信号を出力する整流器の出力に接続されたフィルタを備えることを特徴とする、完全に可変の直流電力供給。
【請求項３１】
直流電圧信号を生成する方法であって、
外部制御信号および交流電力信号で可変の直流電力供給にエネルギーを与えるステップと、
固体物理リレーを使用してその伝導角度を変化させることにより外部制御信号の関数として可変直流電力供給を介して流すことができる交流電力信号の量を実質的に０％から１００％まで調量するステップと、
固体物理リレーの出力を整流するステップと、
整流された信号をフィルタリングするステップと、
直流電圧信号を出力するステップと
を有することを特徴とする方法。
【発明の詳細な説明】
【技術分野】
【０００１】
関連出願についてのクロス・リファレンス
[0001]  本出願は、2010年11月22日の米国仮出願第61/416,244号に基づく優先権を主張し、本願明細書にリファレンスとして組み入れられる。
【０００２】
[0002]  本発明は、オゾン生成システムの分野に関し、特にオゾンの潜在的な中毒性質および高い濃度を出力することの難しさのためにそれらの出力で制御または精度の高水準が安全性の理由で最小の残余の濃度を確実にすると共に、汚染物質を中和することを必要とするこの種のシステムに関する。
【背景技術】
【０００３】
[0003]  オゾン生成システムの制御は、DC電力供給によって、部分的には、少なくとも提供される。それらが多種多様なアプリケーションで使われるように、電力供給のための多くの異なる実施態様がある。調整された電力供給によって、出力電圧または電流がいずれのロード電流にも変化または電力供給のエネルギー源により供給される電圧にもかかわらずほとんど一定の状態に保たれる特定の値にセットされることができる。利用できる範囲に従い、可変の電力供給は、電圧または電流の範囲以上調整されることができる。
【０００４】
[0004]  オゾン生成のようなアプリケーションは、電力供給および広範囲にわたる変動性の出力の非常に正確な制御を必要とする。概してオゾン発生器で現在使用される電力供給は、コンデンサ・バンクに供給される交流（AC）を変化させるために交流ダイオード（DIAC）により起動する交流のためのTriacを使用する。しかし、この種の回路は、DIACによって、必要とされる刺激電圧のために、利用できる最大限の電圧の約30%で動き出すことができるだけである。したがって、この種の電力供給は、完全に可変でなくてオゾン生成に十分に適用できない。
【発明の概要】
【課題を解決するための手段】
【０００５】
[0005]  出力信号の改良された制御を提供する直流電力供給が、本願明細書において、記載されている。交流電流源によって、発生する入力信号は受け取られ、固体物理リレーによって、チョップした。「LC」（誘導コイル-コンデンサ）または「CLC」（コンデンサ−誘導コイル−コンデンサ）によって、フィルタリングをかけられることは濾過される前に、切られた信号はブリッジ整流器により調整される。出力信号が、それから直射的な現在の電力供給信号として使うことができる。この電力供給が、様々な形のオゾン生成システムで使うことができる。
【０００６】
[0006]  高い精密なオゾン・センサ装置、コロナ電圧と同様にコロナ周波数を変化させる制御ユニットを有する制御ユニット、制御ループ・フィードバック・メカニズムおよび局所的に遠隔で制御パラメータをセットするためのインタフェースと同様に、上記の電力供給を有するオゾン生成システムはまた、本願明細書において記載されている。オゾン発生器は、与えられたスペースに生成されたオゾンの制御量を動的に分配するための一連の弁から成ることができる。
【０００７】
[0007]  第１の態様では、
目標濃度を得るためにスペースのオゾンの所定の量を分配するのに適したオゾン生成器と、
前記オゾン生成器に接続され、交流パワー信号を受けるための第１の入力と、外部制御信号のための第２の入力とを備えた可変直流電力供給と、
前記外部制御信号を生成するための電力供給の第２の入力に接続された制御ユニットであって、前記外部制御信号が、目標濃度に届くために要求されるオゾンの量によって生成されることを特徴とする制御ユニットと、
前記制御ユニットに接続され、スペースのオゾンの残余の量を測定し、要求されるオゾンの量を決定するために残余の量の測定信号を制御ユニットに提供するように適合されたオゾン・センサと
を有することを特徴とするオゾン生成システムを提供する。
【０００８】
[0008]  別の態様では、
スペースにオゾンを生成させる方法であって、
スペースの残余のオゾンの濃度を測定するステップと、
測定された濃度から、スペースのオゾンの目標濃度を提供するために要求されるオゾンの濃度を決定するステップと、
可変直流電流電力供給にエネルギーを与えるために外部制御信号を生成するステップであって、前記外部制御信号が、要求されるオゾンの量に従ってせんたくされた値を有することを特徴とするステップと、
前記外部制御信号で可変直流電力供給にエネルギーを与えるステップであって、交流電力信号で直流電力供給を供給することを特徴とするステップと、
伝導角度を変化させることによって可変直流電力供給を介して流すことができる交流電力信号の量を調量するステップであって、それにより、オゾン生成器に対して可変直流電力供給が所定の電圧レベルを出力することができることを特徴とするステップと、
スペースの目標濃度を提供するために要求されるオゾンの量を分配するステップと
を有することを特徴とする方法を提供する。
【０００９】
[0009]  更に別の態様では、
交流電力信号を受信する第１の入力と、外部制御信号に関する第２の入力とを備えた完全に可変の直流電力供給であって、電源供給が、固体物理リレーおよび整流器を備え、該固体物理リレーは、整流器の入力に接続され、実質的に０％から１００％まで整流器に表される交流電力信号を調量するために適合され、更に、整流された信号をスムーズにし、直流電圧信号を出力する整流器の出力に接続されたフィルタを備えることを特徴とする、完全に可変の直流電力供給を提供する。
【００１０】
[0010]  更に別の態様では、
直流電圧信号を生成する方法であって、
外部制御信号および交流電力信号で可変の直流電力供給にエネルギーを与えるステップと、
固体物理リレーを使用してその伝導角度を変化させることにより外部制御信号の関数として可変直流電力供給を介して流すことができる交流電力信号の量を実質的に０％から１００％まで調量するステップと、
固体物理リレーの出力を整流するステップと、
整流された信号をフィルタリングするステップと、
直流電圧信号を出力するステップと
を有することを特徴とする方法を提供する。
【００１１】
[0011]  この明細書では、用語「スペース」は、囲まれた、又は、半囲まれたいかなるスペースのことを称する。例えば、スペースは壁、床および天井によって、囲まれることができる。囲まれたスペースは、いかなる適当なサイズでもよく、部屋、オフィス、工業格納庫、住宅、建物、貯蔵タンク、処理部屋、等でありえる。スペースはまた、半囲いであってもよく、例えば、通気ダクト、煙突、３枚の壁、天井および床によって囲まれる部屋、床および天井だけを有する部屋、または同様のものであってもよい。天井は、固くてもよく、布のような材料でできていてもよい。
【００１２】
[0012]  用語「汚染物質」は、空気に存在しているいかなる汚染物質または汚濁物のことを称する。汚染物質は、化合物または生物学的材料であってもよい。臭気を引き起こす化学製品、ウイルス、バクテリア、型などは、汚染物質の実施形態である。本明細書中で、ppbで表されるオゾン濃度に関連するオゾン濃度が、例えば他の単位では、例えばg/Hrのまたはパーセンテージで、表されることができると理解されなければならない。
【００１３】
[0013]  更なる本発明の特徴および効果は、必要であれば添付の図面と一緒に以下の詳細な説明から明らかになろう。
【図面の簡単な説明】
【００１４】
【図１】[0014]  図１は、典型的なオゾン生成システムのブロック図である、
【図２】[0015]  図２は、コンピュータシステムとしてインプリメントされる典型的な制御ユニットのブロック図である、
【図３】[0016]  図３は、デジタルPIDから成る典型的な制御ユニットのブロック図である、
【図４】[0017]  図４は、アナログPIDから成る典型的な制御ユニットのブロック図である、
【図５】[0018]  図５は、複合型PIDから成る典型的な制御ユニットのブロック図である、
【図６】[0019]  図６は、確率論的なPIDから成る典型的な制御ユニットのブロック図である、
【図７】[0020]  図７は、典型的な電力供給のブロック図である、
【図８】[0021]  図８は、LCフィルタを有する典型的な電力供給の回路図である、
【図９】[0022]  図９は、図８に示される回路の出力を示すグラフである、
【図１０】[0023]  図１０は、CLCフィルタを有する典型的な電力供給の回路図である、
【図１１】[0024]  図１１は、図１０に示される回路の出力を示すグラフである、
【図１２】[0025]  図１２は、典型的なコロナ-タイプ・オゾン生成システムの回路図である、
【図１３】[0026]  図１３は、追加されたRMS/DCコンバータおよび乾燥機システムを有する図１２のオゾン生成システムを示す回路図である、
【図１４】[0027]  図１４は、典型的な電源回路を有する図１２のオゾン生成システムを示す回路図である、
【図１５】[0028]  図１５は、典型的なオゾン測定サブシステムを示すブロック図である、
【図１６】[0029]  図１６は、オゾン発生器の比例弁を有する典型的なオゾン生成システムのブロック図である。
【発明を実施するための形態】
【００１５】
[0030]  添付の図面の全体にわたって、同じ特徴は、同じ参照番号によって識別される点に注意する。
[0031]  オゾン生成システムは、生成されたオゾンと部屋に存在する空気汚染物質との間の化学反応によって、エリアを清潔にしおよび／または消臭するためにスペースにオゾン（O3）を生成し、伝播する。生成されたオゾンの量および汚染物質の量に従い、残余のオゾンは、部屋に存在してもよい。残余のオゾンは、汚染物質との反応の後に、残されたオゾンの量である。図１は、オゾン生成システム20の典型的な実施形態である。システム20は、オゾン・センサ装置71、制御ユニット24、電力供給34とオゾン発生器26を備える。オゾン・センサ装置71は、空気に含まれるオゾンの濃度を測定するのに適している。オゾンを検出して、測定するのに適した、センサのいかなる適当なタイプもまた構成されるガス分析器であってもよい。ある典型的な実施形態は、図15において、更に詳細に例示される。
【００１６】
[0032]  オゾン・センサ装置71は、制御ユニット24に接続され、制御ユニット24で測定された残余のオゾン濃度を表す信号28を送るのに適している。制御ユニット24は、目標濃度に実質的に等しい測定された残留オゾン濃度を得るために測定された残留オゾン濃度と目標濃度を使用して生成されるオゾンの量を決定するように構成される。電力供給34は、制御ユニット24により供給され、オゾン発生器26に接続される。
【００１７】
[0033]  制御ユニットは、オゾン発生器26によって、発生するオゾンの決定された量と比例したレベルを有する電力供給34に、信号30を送るのに適している。オゾン発生器26は、電力供給34によって、一回電力を供給されるオゾンの決定された量を生成するのに適している。オゾン発生器26は、消臭および／または清潔にされる部屋と流体連通される。オゾン発生器26は、部屋に配置されることができる。あるいは、オゾン発生器26は部屋の外に配置され、流体接続が部屋に生成されたオゾンを分配するためにオゾン発生器26および部屋の間で提供されることができる。
【００１８】
[0034]  ある実施形態では、オゾン生成システム20は、連続的に残余のオゾン濃度をモニタし、生成されたオゾンの量を調整するのに適している。別の実施形態では、オゾン生成システム20は、段階を追って生成されたオゾンの量を調整するのに適している。この場合、オゾン・センサ71は、時間の離散的なポイントで残余のオゾン濃度を測定するのに適している。センサ71が部屋の残余のオゾン濃度を測定するたびに、測定信号28は制御ユニット24に送られる。各々の測定信号28の受信に、制御ユニット24は発生するオゾンの適当な量を決定し、制御信号30を電力供給34を経たオゾン発生器26に発生するオゾンの決定された量を表すようにする。電力供給は、オゾン生成26のために要求される電力を生成するためにAC電源入力信号を使用する。次の測定信号30が制御ユニット24によって、送られるまで、オゾン発生器26はそれから受け取られる値まで調整して、生成されたオゾンの量を維持する。
【００１９】
[0035]  ある実施形態では、制御ユニット24は直接測定された濃度を使用して発生するオゾンおよび残余のオゾンのための目標濃度の量を決定するのに適している。例えば、制御ユニット24は、残余のオゾン濃度の関数として発生し、オゾン濃度を目標とするオゾンの量から成るテーブルが格納されるメモリから成ることができる。発生するオゾンの量は、測定された残余のオゾン濃度の異なる値のため前もって決定され、残余のオゾン濃度を目標とする実験データであってもよい。
【００２０】
[0036]  別の実施形態では、発生するオゾンの量は変化し、制御ユニット24は測定された濃度を使用している生成されたオゾンおよび残余のオゾンのための目標濃度の量の変化を決定するのに適している。決定されたバリエーションは、実質的に目標濃度に等しい部屋の残余のオゾンの濃度を得るためにオゾン発生器26によって、発生するオゾンの量の増加または減少と一致する。ある実施形態では、残余のオゾンの測定された濃度が閾値より上にあるとき、オゾン・センサ71は接続32を介してオゾン発生器26に接続され、オゾンの発生を止めるのに適している。オゾン・センサ71は、制御ユニット24および/またはオゾン発生器26の故障の場合には、オゾン発生器26を上書きするように適合されているので、この場合には、安全機能がシステム20に加えられる。例えば、閾値は目標濃度に等しくてもよい。別の実施形態では、残余のオゾンの測定された濃度が閾値より上にあるとき、センサ装置71から独立している追加的なオゾン・センサはオゾン発生器26に接続されることができ、オゾンの発生を止めるのに適応する。別の実施形態では、測定された濃度が閾値より上にあるとき、制御ユニット24は測定された濃度を閾値と比較して、オゾン発生器26を止めるのに適していてもよい。
【００２１】
[0037]  任意の適切な制御ユニットが残留オゾン濃度の目標値を記憶して生成されるオゾンの量または、部屋の中の残留オゾンを使用することができる目標濃度を得るために必要な、生成されたオゾンの変化を決定するためにデータを処理するように構成するメモリを有することを理解すべきである。例えば、制御ユニット24はその中に格納される残余のオゾンの目標濃度を有するメモリを備えているコンピュータであってもよく、中央演算処理装置はいかなる適切な制御方法（例えば線形負帰還方法、比例方法、PID方法等）をも実行するように適合される。
【００２２】
[0038]  ある実施形態では、図２に例示したように、制御ユニット24は、他のものの間に、プロセッサ25で動いている複数のアプリケーション27、連結されているプロセッサの間に設けられ、メモリ29ように構成される。本願明細書においてアプリケーション27が例示され、別々の実体と記述されると共に、それらが結合され、または、さまざまな方法で分離されたと理解されなければならない。一つ以上のデータベース（図示せず）は、直接メモリ29に組み込まれることができ、または、制御ユニット24から別にそこから、および、遠隔で提供されることができる。データベースに対する遠隔アクセスの場合、アクセスはネットワークのいかなるタイプも介して生じることができる。コンピュータによって迅速なサーチおよび検索のために有機化されたデータまたは情報の収集として、データベースを提供できる。それらは、さまざまなデータ処理動作とともにデータのストレージ、検索、変更および削除を容易にするように構築されることができる。それらはファイルまたはレコードに分類されることができるファイルのセットから成ることができ、それぞれは一つ以上のフィールドから成る。データベース情報は、キーワードを使用していて、急速に分野を検索し、再配置し、集めて、選ぶために、命令をソートして質問により検索されることができる。データベースは、データ記憶媒体（例えば一つ以上のサーバ）に関するデータのいかなる組織でもあってもよい。
【００２３】
[0039]  ある実施形態では、データベースはトランスポート層セキュリティ（TLS）をサポートすることができる安全なウェブサーバおよびHypertext Transport Protocol Secure（HTTPS）であり、それはデータへのアクセスのために使用されるプロトコルである。安全なウェブサーバとの通信は、Secure Sockets Layer（SSL）を使用して確実にされることができる。SSLセッションは、リクエストをURLのHTTPSプレフィックスを有するウェブサーバに送信することによって始まり、ポート番号「443」でパケットに配置される。ポート4432は、サーバ上のSSLアプリケーションに割り当てられる数である。ユーザの識別確認は、ユーザ名および全てのユーザのパスワードを使用して実行されることができる。アクセス権のさまざまなレベルは、ユーザの与えられた多数のレベルであってもよい。
【００２４】
[0040]  コンピュータ・ネットワークの範囲内で装置が情報を交換することを可能にするいかなる周知の通信プロトコルも、使うことができる。プロトコルの実施形態は、次の通りである： IP（インターネット・プロトコル）、UDP（ユーザ・データグラム・プロトコル）、TCP（伝送制御プロトコル）、DHCP（Dynamic Host Configuration Protocol）、HTTP（ハイパーテキスト・トランスファー・プロトコル）、FTP（ファイル転送プロトコル）、テルネット（Telnet Remote Protocol）、SSH（Secure Shell Remote Protocol）、POP3（Post Office Protocol 3）、SMTP（Simple Mail Transfer Protocol）、IMAP（Internet Message Access Protocol）、SOAP（Simple Object Access Protocol）、PPP（Point-to-Point Protocol）、RFB（Remote Frame buffer）プロトコル。
【００２５】
[0041]  プロセッサ25によって、アクセスできるメモリ29は、データを受信し、格納する。メモリ29は、ハードディスク、フロッピー(登録商標)ディスクまたは磁気テープ駆動装置のような主記憶（例えば高速Random Access Memory（RAM）または補助記憶装置）であってもよい。メモリは、Read-Only Memory（ROM）または光学記憶媒体、例えばビデオディスクおよびコンパクトディスクのような他のいかなるタイプのメモリでもあってもよい。プロセッサ25は、データを検索するためにメモリ29にアクセスすることができる。プロセッサ25は、データ上の動作を実行できるいかなる装置でもあってもよい。例えば、中央演算処理装置（ＣＰＵ）、フロントエンド・プロセッサ、マイクロプロセッサ、グラフィックス処理ユニット（ＧＰＵ/VPU）、物理学処理ユニット（PPU）、ディジタル信号プロセッサおよびネットワーク・プロセッサである。本願明細書において説明されるように、アプリケーション27はプロセッサ25に連結し、さまざまな作業を遂行するように構成される。出力は、電力供給34に送信されることができる。
【００２６】
[0042]  別の実施形態では、制御ユニット24は目標残余のオゾン濃度を格納し、発生するオゾンまたは測定された濃度を使用している生成されたオゾンおよび残余のオゾンのための目標濃度のためのバリエーションの量を決定するのに適しているデータ処理電気回路であってもよい。例えば、データ処理電気回路は、閉ループ・アナログ・コントローラであってもよい。
【００２７】
[0043]  ある実施形態では、制御ユニット24は、構成されるＰＩＤ制御ユニットが設けられ、測定された値を使用している部屋の残余のオゾンの目標濃度を得るために必要な生成されたオゾンおよび残余のオゾンのための目標値の変化を決定するように構成される。この場合、測定された残余のオゾン濃度を表す測定信号28は、強度が残余のオゾンの測定された濃度と比例しているアナログの電気信号であってもよく、生成されたオゾンのためのバリエーションを表す制御信号30は強度が生成されたオゾンのための決定されたバリエーションと比例しているアナログの電気信号であってもよい。
【００２８】
[0044]  図３は、デジタルPIDモジュラエレメント5から成る制御ユニット24のための典型的な実施形態を示し、4-20ｍAの電流ループ40の入力はオゾン・センサ71から受ける。Ａ／Ｄコンバータ38によるデジタル信号への転換の後、データはエレメント5により処理され、それはマイクロプロセッサ・チップ、OPLC Vision 350またはいかなる制御可能なプログラマでもよい。デジタル積分微分計算は、通常、切り捨ておよび丸めエラーのリスクを有する著しい算術演算を必要とする。したがって、リアルタイム制約は、この実施形態への特定の制限を強要する。エレメント5の出力は、周波数変換機44への電圧および／または電圧供給34のいずれかを駆動する電流ループ4-20mAであってもよい。インタフェース42は、V/Fコンバータ44への接続のために使うことができる。
【００２９】
[0045]  積分および微分の演算は、デジタル機械（例えば、（A/Dを備えた）マイクロプロセッサ・タイプ8096のインテル、PIC、PCまたは産業用コントローラ）のいかなるタイプでもプログラムされることができる。しかし、デジタル微分および積分は、通常1秒につき基本的に何千もの浮動小数点算術演算を必要とする。微分がゼロで割るか、切り捨てエラーを爆発させるケースでは、いくつかの特別な指示を追加する必要があるかもしれない。リアルタイム状況では、汚染妨害または過剰なオゾンが部屋で起こったあと、PIDループは急速に正しいコマンドを電極に届けることを必要とする。したがって、図3に示す実施形態では、減衰するのが遅い（ジャガイモ）または、メタンのような猛烈な反応体組成物が生成されない倉庫では、このような流れ調節水処理プラントのような急激な汚染物質の注入は、存在しない状況として適切であろう。ソフトウェア開発のコストが重大でないとき、それはまた適当であり、ディスプレイおよびイーサネット(登録商標)・コネクションは利用でき、パーツのコストは重大でない。
【００３０】
[0046]  図４は、速くて安価なリアルタイム積分及び微分を与えることにより、制御ユニット24が、アナログPIDモジュラエレメント6を有することによる実施形態を例示する。この場合、演算増幅器は、チップ（例えばLM324またはLM741）であってよく、それぞれ2、3ドルだけのコストがかかる。必要な演算増幅器（opアンプ）の数は、特定の化学を制御するために必要なある程度の精巧さに依存する。例示される平均的な複雑さの実施形態では、モジュラエレメント6が入力するアナログPIDは、現在のループ40およびインタフェース6aを介して、オゾン・センサ装置71から受け取られる電気信号である。電位差計6bは、減じられ、セットポイントリファレンスにopアンプ6cのセンサ信号を提供する。エラー信号は、比例項を計算するopアンプ6dに、積分項を計算するopアンプ6eに、そして、微分項を計算するopアンプ6fに送られる。これらの3つの条件は、opアンプ6gで合計され、その出力は、4乃至20maのコマンド電流ループを生成する6hを介してインタフェース6kに送られる。Opアンプ6i、6j、6hは、極性インバータとして作用する。後で詳しく述べるように、いくつかの追加的な論理構成要素は、弁およびリレーを動かすために加えられることが可能である。アナログPIDモジュラエレメント6の出力は、インタフェース6Iを介して電力供給34へ、または、インタフェース6kを介して周波数変換機44に対する電圧へのいずれかに送信される。
【００３１】
[0047]  図４において例示される実施形態は、非常に速い微分、加算および他の演算を実行できる。適当なテストポイントでは、複合のリアルタイム動作の結果は、オシロスコープ（図示せず）に容易に続くことができ、A/Dが必要でない。精密なIC opアンプは、2、3ドルで買うことができる。汚染物質の突然の爆発、表示不能またはイーサネット(登録商標)接続不能、および、低コストパーツのために、アナログPID ６はまた、迅速な反応時間を必要とする状況に関して適切である。
【００３２】
[0048]  図５は、複合型PIDモジュラエレメント56から成る制御ユニット24のための実施形態を例示し、それは前のPIDモジュール5および6の組合せである。速い積分・微分および論理演算または大量のデータ記憶が必要なときはいつでも、この実施形態を使うことができる。複合型PIDモジュラエレメント56の出力は、電流ループを介して、電力供給34へ、または、インタフェース42を介して、周波数変換機44に対する電圧へのいずれかへ送られる。複合型PIDモジュール56が、およそ50%デジタルおよびアナログ50%のPIDモジュールからなることができ、速い反応時間とルーチン論理的機能（表示、イーサネット(登録商標)）が必要なときに用いられる。この場合、アナログの部分は、アルタイムの微分と積分の複合で処理され、デジタル部分は、オゾン生成システムのより在来の、遅い、ルーチン管理を取扱う。
【００３３】
[0049]  図6は、反応体、汚染物質および／またはエアゾールの濃度が確率の係数を提供する周知の物質であるときはいつでも使うことができる確率論的なPIDモジュラエレメント7から成る制御ユニット24に関する実施形態を例示する。それは、ランダムなシーケンス発生器7aおよび論理的ゲート制御構成エレメント7b、7c周辺で構築され得る。確率論的なこの種のPID 7を使用することは、閉ループの速い反応時間を促進できる。確率論的なPIDモジュラエレメント7の出力は、電力供給34に対する電流ループを介してまたは周波数変換機44に対する電圧に対するインタフェース42を介して送られる。
【００３４】
[0050]  この種の実施形態は、汚染物質の量および自然は確率論的な方法だけで周知である。この種の状況は、真菌（例：ジャガイモ）、型（例：オレンジ）、および、バクテリア（例：イチゴ）の場合まれでなく、それらの迷惑可能性を評価する適当なセンサがない。いくつかのアルゴリズムは、ランダムなシーケンス発生器および2、3のゲートだけを必要とする確率論的なPIDを有するファジー論理を使用して作成されることができる。
【００３５】
[0051]  図7を参照すると、オゾン生成システム20の電力供給34のための典型的な実施形態が例示される。AC電源入力信号は、固体物理リレー（SSR）60で受け取られる。小さいAC電源入力信号は、より大きいロード電流または電圧を制御するのに用いることができる。制御ユニット24から、外部制御信号はまた、出力される。リレー60は、ACを負荷に切り替えるように設計され、電気機械リレーとして同じように機能する。しかし、それはまた、所望の伝導角度をセットすることによって、整流器62に提示される到着信号を調量するのに用いる。伝導角度は、このように整流器62に供給されるパルスの幅を決定する。固体物理リレーによる信号出力は、したがって、チョッピングされ、入って来るAC電源信号の与えられたパーセンテージだけは整流器62に示される。フィルタ64は、それから、利用できる平均的直流電圧のいかなる増加もスムーズにするのに役立つ。
【００３６】
[0052]  図８は、電力供給34のための典型的な回路を例示する。本実施形態では、SSR 60は光学継手を使用する。制御電圧は、感光性のダイオード上のスイッチを照らすＬＥＤにエネルギーを与える。ダイオード電流は、負荷を切替えるために背中合わせのサイリスタをオンにする。光学継手によって、コントロール回路を電気的に負荷から分離することができる。別の実施形態では、サイリスタはシリコン制御整流器またはMOSFETと取り替えられる。加えて、SSRはトランス-結合SSRまたは複合型SSR（別名、リード-リレー結合SSR）であってもよい。
【００３７】
[0053]  例示されるSSR 60は、4から20mAまで変動する電流信号か、0から10ボルトまで変動する電圧信号により制御されるように設計される。SSR 60は、制御設定によれば、要求されるのと同程度多くのものを通過する。制御設定は、例えば、計算機制御の下のインタフェース（図示せず）を介してセットされることができ、SSR 60内に構築される。SSRの内部電力供給によって、それが０度（すなわち出力でない）まで、伝導の角度を制御でき、それはAC信号のゼロ交差でスイッチオンするだけである。これは、正弦波毎に、一方が正および他方が負である２つのパルスを与える。これらのパルスの幅は、0から100パーセントまで制御信号により制御される。本実施形態では、1ボルトの制御は、パスするAC正弦波の10パーセントと等しく、5ボルトは50%であり、10ボルトはAC正弦波の全てをパスする。
【００３８】
[0054]  図８で例示される実施形態では、整流器62は全波整流回路である。別の実施形態では、半波整流器のような、他の種類の整流器を使うことができる。整流器62の実施態様は、真空管ダイオード、水銀アーク弁、固体物理ダイオード、シリコン制御整流器および他のシリコン・ベースの半導体スイッチという形態をとることができる。調整された信号は、（LCフィルタ64'として図8に例示される）フィルタ64に供給される。図９に図示するように、LCフィルタ64'は実質的に線形出力を提供する。別の実施形態は、図10に例示され、CLCフィルタ64"を使用する。CLCフィルタ64"を使用している電力供給34の出力は、図11に例示される。LCフィルタ64'を使用している出力と比較して、出力電圧のより大きなレンジが提供される。他の実施形態によれば、Cフィルタがまた、使うことができる。電力供給に関して図8および10において例示される実施形態は、低い電流の状況の下でDCコンデンサバンクの急上昇なしで、外部の信号によって、完全な制御中で単純であるが、効果的に完全に可変のDC電力供給システムに結果としてなる。図8および10に示す特定のコンデンサおよび誘導子値は、例示だけであり、異なることができる。
【００３９】
[0055]  図9および11のグラフは、制御信号の小さい変化が電力供給34の出力電圧に対して、いくぶん線形変化に結果としてなることができることを示す。例えば、図9に示すように、5.0maから6.0maへの制御信号の変化は、出力電圧に10ボルトから20ボルトほどまでしか上がらせなくさせる。したがって、1maの変化は、出力の10ボルトの増加だけに結果としてなる。カーブの線形は、弱い入力信号から容易に制御可能な出力電圧を提供する。4乃至20ma制御信号の範囲にわたって、0vからほぼ200vまで可変の出力電圧について、図11は制御のためのより大きな範囲を示す。電圧の外部の制御と同様に、AC電源入力信号が弱いとき、記載されている実施形態は、それゆえ、印加電圧のより正確な調整を提供する。精度は、固体物理リレー60を使用して整流器62に示されるAC電源入力信号の慎重な調量によって提供される。固体物理リレー60は、制御信号によって所望の伝導角度または流れの角度θをセットすることによって整流器62に供給されるパルスの幅を決定する。
【００４０】
[0056]  ある実施形態では、DC電力供給の出力上のこの種の制御を提供するために、ゼロ交差または同期、固体物理リレーが、使われる。入力電圧が正弦波のゼロ交差ポイントに着くとき、非伝導状態から伝導状態にリレーの切替えが生じる。これは、第１の伝導サイクルの間の負荷によるサージ電流を最小化し、制御ユニット24に配置される実行された放出のレベルを減らすのを助ける。リレーは、ロード電流がAC正弦波の次のゼロ交差ポイントまで、出力を通って流れるのを許容しない。制御電圧がSSRの入力から除去される場合、それがAC正弦波の次のゼロ交差ポイントに着くとき、それはロード電流を伝導するのを止める。
【００４１】
[0057]  制御ユニット24（SSR）を介し、拡張による制御信号の値に電力供給34を課すことは外部の信号の完全な制御中であり、したがって、オゾン発生器はまた、外部の信号の完全な制御の下にある。この種のコントロールはローカルにまたはリモートで働くことができ、それによって、動作に対するより多くの柔軟性およびオゾン生成システムの保守を提供する。出力パワーの0から100%までの電力供給34の制御は、線形方法の出力電圧を変化させることを可能にする。
【００４２】
[0058]  オゾン生成システム20に対して記載されている電力供給34の応用に関して、以下が考慮される。オゾン生成システム20は、いかなる部屋、特に残余の濃度、1ppbまでものオゾンの濃度を正確に測定することが可能でなければならない。汚染物質の濃度が増減するときはいつでも、それはまた、急速にオゾンの製造を変化させることが可能でなければならない。0から100%への記載されているシステムの正確な調整力によって、これらの状況の両方とも満たされることができる。
【００４３】
[0059]  いくつかの実施形態では、相当な計算能力を有する制御ユニット24が、プラズマ電極電圧および周波数に適切なコマンドを生成するために使うことができる。イーサネット(登録商標)または類似した手段を介して、オゾン生成システム20は、遠隔でプログラム可能でもよい。コロナ電圧およびコロナ周波数は、急速にオゾン製造を増減するために制御されることができる。コロナ周波数制御をコロナ電圧制御に加える場合、電極でコロナ周波数を増減することは、1秒当たりいくぶんの容量性負荷のピークの充電経路、更にはマイクロ放出の数の増加または減少に等しい。これは、その種類を変えずに生産される化学の量を変えることを可能にして、アークをなす危険を最小化する。加えて、一定のコロナ電圧を保つと共に、周波数はオゾン製造を増減するために用いることができる。このように、センサが有害なガスを検出する場合、どんな有害なガスも生じないまで、システムはコロナ電圧を下げる。それは、それから、周波数の上下を有害なガスを生産することのないオゾンの制御発生へ移す。
【００４４】
[0060]  図12は典型的なコロナ制御システムを示し、ガス状の製品のコロナ電極入力およびコロナ・ガス状の製品の出力から成る。これらのコロナ製品は、部屋40、50、その他に送信されることができ、例えば、それは汚染物質（例えばH2S）、不必要なガス（例えばエチレン）を生成している倉庫またはガス・タンク（例えばオゾンまたは水素）により汚染されるオフィスであってもよい。
【００４５】
[0061]  センサ装置71は部屋40、50、その他に存在するガスの濃度の連続測定をし、PID合成物コロナ電圧モジュール9に対し、PIDに対する現在のループ4-20maを経た出力対応する電気信号はコロナ周波数モジュール10を倍加させる。PID合成物モジュールは、コロナの最適制御を提供するためにリアルタイムの比例積分微分方程式を解く。大きい果物または植物の倉庫の場合、多くの異なるガスのセンサは、PID制御モジュール9および10へのいくらかの入力を提供するために用いることができる。例えば、バナナのためのエチレン・センサまたはキャベツのための炭素のガス・センサがあってもよい。
【００４６】
[0062]  上記の通りに、各々の複合モジュール9および10は、デジタル、アナログ、複合型および／または確率論的なPIDモジュラ要素で設計されることができる。モジュール9および10は、タイトな閉ループ対照の利点をコロナに提供する。PIDモジュラ要素の選択は、インプリメントされるそのような化学に依存する。例えば、それは単純な比例制御から複数ループ・インテグレータ識別するものトポロジへの何ででもありえる。PIDは、コロナ電圧モジュール9つの出力（例えば電力供給34のSSRの伝導角度を制御する4-20ma電流ループ）を合成させる。
【００４７】
[0063] PIDは、コロナ周波数モジュール10の出力（例えば電圧周波数をコンバータ44（例えばAD 654）に駆りたてる4-20ma電流ループ）を合成させる。モジュール10およびコンバータ44は、オゾンのかなりの量が大気から作り出されることになっているときに、使うことができる現在のシステムの要素である。
【００４８】
[0064]  プッシュプル・タイプの中で、電力供給34は調整された可変の電圧を高圧トランスの中心のタップに印加し、一組のMOSFETと関係がある。周波数変換機44に対する電圧は、位相を異にして180度を有するMOSFETSの入口に位相スプリッタおよびドライバを経たパルスを提供する。コロナ周波数が1000ヘルツを超える場合、コロナ周波数が1000ヘルツおよびフェライト核タイプの下にある場合、高圧トランスは成層タイプの中でありえる。複合モジュール9および10は、イーサネット(登録商標)を経たまたは人間的な機械インタフェース（HMI）に対する方法の遠隔制御のためのブロック90に接続していることができる。イーサネット(登録商標)およびHMI接続が同じブロックに示されるにもかかわらず、彼らは2つの異なる要素であってもよい。
【００４９】
[0065]  図13は、1またはいくつかの部屋の汚染物質、病原体、エアゾール、水分、悪い臭気ガスの効力を消すために、生成システムがコロナを有するオゾン製造に適応したことを典型的な他のオゾンに明らかにし、必要なオゾン濃度を使用する。主たる反応体、本質的に空気、O2+N2+H2O蒸気は、圧縮器16を経たシステムに注入される。水蒸気を除去するために、このガス状の合成物は、乾燥機モジュール15に通される。この動作は、NOxガスを有する硝酸H2NO3を生じる危険を減らす。第２の反対の反応、O2+N2、は管状コロナ電極に行かせられ、それはO3+O2+N2+ポテンシャルNOxの混成を生じる。このO3豊かな混合物は、部屋40、50その他のファン17、18に譲渡される。本実施形態では、モジュール19、20はエアゾールの中和のために使用される負のイオン化装置である。部屋40、50その他のオゾン濃度は、オゾン・センサ装置71（例えばBMT930または等価物）で測定される。
【００５０】
[0066]  PIDモジュール9を倍加させ、PIDモジュール10を倍加させるために（例えば4-20ma）、オゾン・センサ装置71からの電気信号は現在のループを介して送られ、それは周波数変換機44に電力供給34および電圧に適当な現在のループ指令信号を算出する。タイプAD636または等価物の実施形態のために、即時のコロナ電圧のRMS値が、また、第２のVrms巻き線33およびRMS/DCコンバータ21を介して使うことができる。図12のように、複合PIDモジュール9の現在のループは34の伝導角度をモニタし、複合PIDモジュール10の現在のループは周波数変換機44（例えばAD 654または等価物）に、電圧をモニタする。
【００５１】
[0067]  高圧トランスは、1000ヘルツ以下の周波数および1000ヘルツより上の周波数のためのフェライト核タイプのための成層タイプの中でありえる。特定のアプリケーションのために、複合PIDモジュール9（すなわち固定する周波数）だけまたは複合PIDモジュール10（すなわち固定された電圧）だけを使用するかもしれない点に注意する。
【００５２】
[0068]  図13は、制御ループのためのフィードバック・コイル33を含む。このフィードバック制御ループがコロナ管（チューブ）の電圧を通じてグロスの誤りを検出するのを許容する。制御システムが故障を被る場合、この状況は起こり得る。この場合、システムは自動的に電力供給34をシャットダウンすることができる。フィードバック制御ループからの帰還信号は、また、出力パワーをモニタするために用いることができて、その命令が行われている制御システムに、警告信号を供給できる。
【００５３】
[0069]  図14はDC電力供給回路の実施形態を示し、電力供給位相角は、例えば、PID合成物モジュール9により生産される現在のループによって、厳しく制御される。ある典型的な実施形態では、SSR 11はカーロ・ガバッツィRM1 E構成要素11aまたは等価物から成ることができる。電源スイッチ46が閉じるとき、リレー43は橋55に作動して、切替えられた線115VACまたは220VACを接続し、それはシヌソイドのアークを調整する。力レジスタ56は、最小限のある荷重を提供する。同時に、それから、チョーク53（電動濾過装置）については、形をなすコンデンサ54の列につながる誘導子57に、リレー43は橋55の陽性側を接続する。このフィルタの出力は、PID制御9中で0%から100%、すなわちDC0V乃至DC100V（AC115V入力）まで変化できる。この電圧は高電圧トランス14の中心のタップに印加され、第２に、0-10,000のボルト・ピークを生じる。とりわけ、発生されるピークの高電圧は、電極静電容量によって、異なることができる。
【００５４】
[0070]  コロナ周波数が周波数変換機44（固定またはV/Fタイプ）に、電圧によって生じ、それはドライバ52を解してパワーFET 13のための位相外れのパルスを起こす。二次巻線33は、DCコンバータ21に、7つのVrmsをRMSに分配し、出力は回路51をシャットダウンするために行かせられる。コロナ電圧が禁制値に達するときに、閉じられた下の回路51はMOSFETゲートにドライブを切り離す。エレメント45は、フィードバックループである。コントロール回路にエネルギーを与えるために、12VDCの電圧は、トランス41および線形調節装置42に由来する。いくらかの力率修正61（PFC）は、SSR回路11周辺で構築される。
【００５５】
[0071]  図15は典型的なオゾン・センサ装置71を示シ、異なる部屋からの空気のサンプルは６チャネル・ダクト60による入力である。オゾン測定が特定の高い濃度を超える場合、制御ロジックはオゾン電力供給34をシャットダウンするように設計されていてもよい。オゾン・センサ装置71は、周囲オゾン・モニタリングのための2つのスクラバ71a、71bを有することができる。それはまた、有用性スクラバの断続的な自動テストのための内部オゾン生成プログラム・サブモジュール71cを有することができる。このスクラバがオゾン生成プログラム・サブモジュール71cによって、オゾン化されるサンプルから、オゾンを完全に除去することに失敗する場合、計測器は自動的に有用性スクラバ71aから予備スクラバ71bに切り替えることができ、スクラバ失敗を示している警告信号を起動させることができる。オゾン・スペクトロ71dは、オゾンをUVの吸収で測定する装置である。インタフェース71eは、計測器の特定のインタフェースである。実施形態によっては、計測器による最小限の検出可能な濃度は、1%の精度および1ppbの最大のノイズで、2ppbであってもよい。BMT930（Bmt Messtechnik GMBH）または等価物が、この種の必要条件のために使うことができる。
【００５６】
[0072]  図16は、電子制御の比例制御弁のシステムを有するオゾン発生器26が生成されたオゾンを分配することを示しているオゾン生成システム20の典型的な実施形態である。流量計は、入力としてのきれいな、乾燥した空気を必要とし、管（チューブ）を生成している一つ以上のオゾンにそれを提供する。気流の読み込みは、制御ユニット24に提供される。生成されたオゾンは一つ以上の出力弁により分配され、一つ以上出力弁が完全に閉じる場合に備え、ダンプ弁がオゾン・ガス出口として使われ、オゾンは放出されることを必要とする。
【００５７】
[0073]  各々の一つ以上弁は、異なったゾーンと関係していてもよい。検出オゾン・レベルがゾーンにおいて、上がるにつれて、完全に部分的に、制御システムはそのゾーンに着いているオゾンの量を減らすためにそのゾーンの制御弁を閉じることができる。生成管の気流をモニタリングすることによって、比例出力弁は、システムによる十分な気流を確実にするためにダンプ弁を用いて問題なく制御されることができる。加えて、弁が開けられるか、閉であるが部分的に開けられた現状は、ガス分析器および空気フローセンサに基づいて決定されることができるかまたは基づくことができる所望の電力供給からの生成管に対する電圧を増減する。
【００５８】
[0074]  図16に示される実施形態では、電子流量計と一緒に、２つのゾーン弁およびダンプ弁は提供される。パワーアップで、全ての弁は、開いてもよい。システムは、それからダンプ弁を閉じることができる。管を生成しているオゾンに入るにつれて、例えば、気流計が30LPM（リットル／分）を指示している場合、システムはこの流れが実質的に30LPMにとどまることを確実にすることができる。出口ゾーン＃2は、センサユニット71によって報告された対象空間のオゾンの増加を示すために開始された場合、システムはゾーン＃2のための電子制御式比例制御弁を閉じ始める。この弁が少し閉じるにつれて、流量計によって、見られるように流れを入力され、検出され、きれいな空中に落ちることができる。システムは、それから比例してダンプ弁を開けることができる。これは、気流を30LPMに戻す。このゾーンの検出オゾンが上がり続ける場合、同時に、30LPMのフローレートを維持するためにダンプ弁を開けると共に、システムはこのゾーンのための出口制御弁を閉じ続ける。
【００５９】
[0075]  いくつかの位置で、システムは出口弁を閉じるのを止め、電力供給34によって、発生し、管で生成しているオゾンに供給されている高電圧を減らし始めることを決めることができる。これは、完全なシステムのために発生しているオゾン量を減らす。オゾン・レベルがゾーン#2において、低下し始めるにつれて、再び、システムの30LPMの気流率を比例して維持するためにダンプ弁を閉じると共に、システムはそれからゾーン#2のための出口制御弁を開け始める。同時に、システムは再びより高速度でオゾンを生成し始めるためにより高い出力電圧に電力供給34を返すことができる。
【００６０】
[0076]  図16の実施形態において、出口制御弁は、4〜20ma制御比例空気弁である。エアフローセンサは、空気流の0〜50 LPMの範囲を示し、0〜6VDC出力信号MEMS式空気流量計である。この例では、気流計は30LPMの流れのためほぼ4vdcを出力する。別の実施形態では、弁はオン／オフ動作のタイプ弁であってもよい。
【００６１】
[0077]  管で生成しているオゾンへの入力で、きれいな気流に位置する空気フローセンサを有することは、特別な材料がこの装置のためにそれをオゾンから保護することを必要としないことを意味する。したがって、可変の出力信号を有するいかなる適切な電子気流センサも、使うことができる。あるいは、オゾンからの適当な保護については、フローセンサは他の場所で提供されることができる。
【００６２】
[0078]  実施形態によっては、ダンプ弁は、4乃至20ma制御信号によって制御される常開タイプ弁である。この弁を出ているオゾンは、空気排気ダクトに送信されることができて、建物の外で放出されることができる。追加的なセキュリティ機構として、気流が20LPM（例えば）以下に低下する場合、充分でない空気が適当な動作のための管の中を流れているにつれて、制御ユニット24は損害を受けることから管を生成しているオゾンを保護するために電力供給34をシャットダウンすることができる。
【００６３】
[0079]  別の実施形態において、センサが外側のゾーンのオゾンのより高いそれから所望のレベルを感知する場合、システムは単に完全にそのゾーンのための弁を閉じることができる。これは、そのゾーンに分配されている全てのオゾンをシャットダウンする。システムがゾーンを閉鎖するときに、気流計により報告されるように、実質的に最初の気流を維持することはそれからダンプ弁を開けることを必要とする。この方法を使用することは、気流に比例システムでややよりそれから変化させることができる。しかし、この種のバリエーションは、比較的小さい。例えば、30LPMの気流のために、弁が開ける全ての2または3LPMの違いがあってもよい、そして、ダンプ弁で閉じる全ては開く。
【００６４】
[0080] 異なったデータ信号接続を経た各々と通信している離散的な構成要素の集まりとして、ブロック図において、例示されると共に、伝えられた機能によって、インプリメントされているいくつかの構成要素またはハードウェアまたはソフトウェア・システムの動作については、いくつかの本実施形態がハードウェア部品およびソフトウェア部品の組合せにより提供されることは当業者により理解され、データ経路の多数はコンピュータ・アプリケーションまたはオペレーティングシステムの範囲内でデータ通信によって、インプリメントされることを例示した。かくして、例示される構造は、本実施形態を教示する有効性が提供された。上記した本発明の実施形態は、例示だけを目的とする。したがって、本発明の範囲は、添付の請求の範囲だけによって、単に制限されることを目的とする。
【図１】
2013544221.tif 000003
【図２】
2013544221.tif 000004
【図３】
2013544221.tif 000005
【図４】
2013544221.tif 000006
【図５】
2013544221.tif 000007
【図６】
2013544221.tif 000008
【図７】
2013544221.tif 000009
【図１４】
2013544221.tif 000010
【図１５】
2013544221.tif 000011
【図８】
2013544221.tif 000012
【図９】
2013544221.tif 000013
【図１０】
2013544221.tif 000014
【図１１】
2013544221.tif 000015
【図１２】
2013544221.tif 000016
【図１３】
2013544221.tif 000017
【図１６】
2013544221.tif 000018
【国際調査報告】
2013544221.tif 000019
2013544221.tif 000020